(57)【要約】【課題】  良好な洗浄性及び抑泡性を有する金属用電解洗浄剤組成物を提供すること。【解決手段】  （Ａ）下記一般式（１）で表される化合物、及び（Ｂ）炭素数８〜５０のヒドロキシル基含有化合物、を含有する金属用電解洗浄剤組成物。2018030976.tif 000029［式（１）中、Ｒ1は、炭素数１〜８のアルキル基、又は炭素数２〜８のアルケニル基を表し、ＡＯは、炭素数２〜４のアルキレンオキシ基を表し、ａは、アルキレンオキシ基の平均付加モル数を示し、１〜５の範囲にある。］【選択図】  なし【特許請求の範囲】
【請求項１】
（Ａ）下記一般式（１）で表される化合物、及び（Ｂ）炭素数８〜５０のヒドロキシル基含有化合物、を含有する、金属用電解洗浄剤組成物。
【化１】
2018030976.tif 000022
［式（１）中、Ｒ1は、炭素数１〜８のアルキル基、又は炭素数２〜８のアルケニル基を表し、ＡＯは、炭素数２〜４のアルキレンオキシ基を表し、ａは、アルキレンオキシ基の平均付加モル数を示し、１〜５の範囲にある。］
【請求項２】
（Ｃ）脂肪族モノカルボン酸、ポリカルボン酸及びこれらの中和塩からなる群より選択される少なくとも一種のカルボン酸化合物を更に含有する、請求項１に記載の金属用電解洗浄剤組成物。
【請求項３】
（Ｄ）アルカノールアミン化合物を更に含有する、請求項１又は２に記載の金属用電解洗浄剤組成物。
【請求項４】
（Ｅ）下記一般式（２）で表される化合物を更に含有する、請求項１〜３いずれか１項に記載の金属用電解洗浄剤組成物。
【化２】
2018030976.tif 000023
［式（２）中、ＥＯは、エチレンオキシ基を示し、ＰＯは、プロピレンオキシ基を示し、ｄ及びｆは、エチレンオキシ基の平均付加モル数を示し、ｄ＋ｆが０〜１０の範囲にあり、ｅは、プロピレンオキシ基の平均付加モル数を示し、１〜１００の範囲にある。］
【請求項５】
（Ｆ）下記一般式（３）で表される化合物を更に含有する、請求項１〜４いずれか１項に記載の金属用電解洗浄剤組成物。
【化３】
2018030976.tif 000024
［式（３）中、Ｒ２は、ヒドロキシル基を有していてもよい炭素数８〜３０のアルキル基、ヒドロキシル基を有していてもよい炭素数８〜３０のアルケニル基、下記一般式（４）で表される基、又は下記一般式（５）で表される基を示し、Ｒ３は、水素原子、ヒドロキシル基を有していてもよい炭素数１〜３０のアルキル基、又はヒドロキシル基を有していてもよい炭素数２〜３０のアルケニル基を示し、ｘ及びｚはそれぞれ独立に０又は１であり、ＡＯは、炭素数２〜４のアルキレンオキシ基を示し、ｙは、アルキレンオキシ基の平均付加モル数を示し、１１〜２００の範囲にある。ただし、Ｒ２が下記一般式（４）で表される基又は下記一般式（５）で表される基である場合、Ｒ３は水素原子であり、ｘ及びｚは０である。
【化４】
2018030976.tif 000025
｛式（４）中、ｇは１〜５の整数であり、ｈは１〜５の整数であり、ｇ×ｈの総数が１〜５の範囲内にあり、式（４）中のｇが２以上である場合、複数あるｈは同一であっても異なっていてもよい。｝
【化５】
2018030976.tif 000026
｛式（５）中、ｍは１〜５の整数であり、ｎは１〜５の整数であり、（ｍ＋１）×ｎの総数が１〜５の範囲内にあり、式（５）中のｎが２以上である場合、複数あるｍは同一であっても異なっていてもよい。｝］
【請求項６】
前記ヒドロキシル基含有化合物が、脂肪族モノアルコール又は下記一般式（６）若しくは下記一般式（７）で表されるフェノール誘導体である、請求項１〜５いずれか１項に記載の金属用電解洗浄剤組成物。
【化６】
2018030976.tif 000027
［式（６）中、ｂは１〜５の整数であり、ｉは１〜５の整数であり、ｂ×ｉの総数が１〜５の範囲内にあり、式（６）中のｂが２以上である場合、複数あるｉは同一であっても異なっていてもよい。］
【化７】
2018030976.tif 000028
［式（７）中、ｐは１〜５の整数であり、ｑは１〜５の整数であり、（ｐ＋１）×ｑの総数が１〜５の範囲内にあり、式（７）中のｑが２以上である場合、複数あるｐは同一であっても異なっていてもよい。］
【発明の詳細な説明】
【技術分野】
【０００１】
本発明は、金属用電解洗浄剤組成物に関する。
【背景技術】
【０００２】
近年の需要を上回る急激な粗鋼生産能力の向上により、世界の鉄鋼市場は、需給ギャップが生じており、過剰供給構造となっている。これを一つの要因として、各国での鋼材市場が悪化している。さらに、自動車、電車、飛行機、工作機械等の部品の市場において、部品メーカーがグローバル化する中、低価格品が市場に登場し、日本の部品メーカーは激しいコスト競争にさらされてきている。こうしたことから、その材料となる鋼板も製造工程においてコスト削減のため様々な対策を講じている。
【０００３】
通常、鋼板製造においては、パーム油などの圧延油が用いられ冷間圧延工程がとられている。冷間圧延後は、表面残存圧延油及び鉄粉等を電解洗浄により除去してから焼鈍する工程がとられている。
【０００４】
この電解洗浄は、一般に８０℃程度の高い温度で行われているが、コスト削減の目的でエネルギーのかからない常温での電解洗浄が要望されている。例えば、下記特許文献１には、アミノ酸型キレート剤とグルコン酸塩類とを含有することを特徴とする鋼板の表面清浄剤組成物が開示されている。
【先行技術文献】
【特許文献】
【０００５】
【特許文献１】特開平１１−１５８４９２号公報
【発明の概要】
【発明が解決しようとする課題】
【０００６】
しかし、洗浄温度を低下させると、圧延油や潤滑油といった汚れ成分の軟化が起こりにくく、上記従来の洗浄剤では洗浄性や抑泡性が十分とはいい難いのが現状である。
【０００７】
本発明は、上記事情に鑑みてなされたものであり、良好な洗浄性及び抑泡性を有する金属用電解洗浄剤組成物を提供することを目的とする。
【課題を解決するための手段】
【０００８】
本発明者は、上記の課題を解決するため鋭意研究を重ねた結果、特定のアルキレンオキシ基含有化合物と特定のヒドロキシ基含有化合物とを組み合わせて配合した洗浄剤組成物が、金属を２０℃や６０℃の低温度域で電解洗浄する場合であっても良好な洗浄性及び抑泡性を示すことを見出し、本発明を完成するに至った。
【０００９】
すなわち、本発明は、（Ａ）下記一般式（１）で表される化合物、及び（Ｂ）炭素数８〜５０のヒドロキシル基含有化合物、を含有する金属用電解洗浄剤組成物を提供する。
【化１】
2018030976.tif 000002
［式（１）中、Ｒ1は、炭素数１〜８のアルキル基、又は炭素数２〜８のアルケニル基を表し、ＡＯは、炭素数２〜４のアルキレンオキシ基を表し、ａは、アルキレンオキシ基の平均付加モル数を示し、１〜５の範囲にある。］
【００１０】
本発明の金属用電解洗浄剤組成物は、上記構成を有することにより洗浄性及び抑泡性に優れた洗浄剤になり得る。
【００１１】
本発明の金属用電解洗浄剤組成物は、（Ｃ）脂肪族モノカルボン酸、ポリカルボン酸及びこれらの中和塩からなる群より選択される少なくとも一種のカルボン酸化合物を更に含有することが好ましい。
【００１２】
本発明の金属用電解洗浄剤組成物は、（Ｄ）アルカノールアミン化合物を更に含有することが好ましい。
【００１３】
本発明の金属用電解洗浄剤組成物は、（Ｅ）下記一般式（２）で表される化合物を更に含有することが好ましい。
【化２】
2018030976.tif 000003
［式（２）中、ＥＯは、エチレンオキシ基を示し、ＰＯは、プロピレンオキシ基を示し、ｄ及びｆは、エチレンオキシ基の平均付加モル数を示し、ｄ＋ｆが０〜１０の範囲にあり、ｅは、プロピレンオキシ基の平均付加モル数を示し、１〜１００の範囲にある。］
【００１４】
本発明の金属用電解洗浄剤組成物は、（Ｆ）下記一般式（３）で表される化合物を更に含有することが好ましい。
【化３】
2018030976.tif 000004
［式（３）中、Ｒ２は、ヒドロキシル基を有していてもよい炭素数８〜３０のアルキル基、ヒドロキシル基を有していてもよい炭素数８〜３０のアルケニル基、下記一般式（４）で表される基、又は下記一般式（５）で表される基を示し、Ｒ３は、水素原子、ヒドロキシル基を有していてもよい炭素数１〜３０のアルキル基、又はヒドロキシル基を有していてもよい炭素数２〜３０のアルケニル基を示し、ｘ及びｚはそれぞれ独立に０又は１であり、ＡＯは、炭素数２〜４のアルキレンオキシ基を示し、ｙは、アルキレンオキシ基の平均付加モル数を示し、１１〜２００の範囲にある。ただし、Ｒ２が下記一般式（４）で表される基又は下記一般式（５）で表される基である場合、Ｒ３は水素原子であり、ｘ及びｚは０である。
【化４】
2018030976.tif 000005
｛式（４）中、ｇは１〜５の整数であり、ｈは１〜５の整数であり、ｇ×ｈの総数が１〜５の範囲内にあり、式（４）中のｇが２以上である場合、複数あるｈは同一であっても異なっていてもよい。｝
【化５】
2018030976.tif 000006
｛式（５）中、ｍは１〜５の整数であり、ｎは１〜５の整数であり、（ｍ＋１）×ｎの総数が１〜５の範囲内にあり、式（５）中のｎが２以上である場合、複数あるｍは同一であっても異なっていてもよい。｝］
【００１５】
本発明の金属用電解洗浄剤組成物は、上記ヒドロキシル基含有化合物が、脂肪族モノアルコール又は下記一般式（６）若しくは下記一般式（７）で表されるフェノール誘導体であることが好ましい。
【化６】
2018030976.tif 000007
［式（６）中、ｂは１〜５の整数であり、ｉは１〜５の整数であり、ｂ×ｉの総数が１〜５の範囲内にあり、式（６）中のｂが２以上である場合、複数あるｉは同一であっても異なっていてもよい。］
【化７】
2018030976.tif 000008
［式（７）中、ｐは１〜５の整数であり、ｑは１〜５の整数であり、（ｐ＋１）×ｑの総数が１〜５の範囲内にあり、式（７）中のｑが２以上である場合、複数あるｐは同一であっても異なっていてもよい。］
【発明の効果】
【００１６】
本発明によれば、良好な洗浄性及び抑泡性を有する金属用電解洗浄剤組成物を提供することができる。
【発明を実施するための形態】
【００１７】
以下、本発明をその好適な実施形態に即して詳細に説明する。
【００１８】
本実施形態の金属用電解洗浄剤組成物は、（Ａ）下記一般式（１）で表される化合物（以下、「（Ａ）成分」ともいう）、及び（Ｂ）炭素数８〜５０のヒドロキシル基含有化合物（以下、「（Ｂ）成分」ともいう）を含有する。
【００１９】
【化８】
2018030976.tif 000009
［式（１）中、Ｒ1は、炭素数１〜８のアルキル基、又は炭素数２〜８のアルケニル基を表し、ＡＯは、炭素数２〜４のアルキレンオキシ基を表し、ａは、アルキレンオキシ基の平均付加モル数を示し、１〜５の範囲にある。］
【００２０】
（Ａ）成分としては、具体的には、エチルアルコールＡＯ（１〜５）付加物、イソプロピルアルコールＡＯ（１〜５）付加物、ブチルアルコールＡＯ（１〜５）付加物、ヘキシルアルコールＡＯ（１〜５）付加物、オクチルアルコールＡＯ（１〜５）付加物、２−エチルヘキサノールＡＯ（１〜５）付加物、２−オクタノールＡＯ（１〜５）付加物等が挙げられる。括弧内の数値はモル数である。
【００２１】
上記ＡＯのアルキレンオキシ基は同一であっても異なっていてもよく、異なっている場合は、ブロック付加でもランダム付加でも交互付加でも構わない。
【００２２】
（Ａ）成分は、抑泡性の観点から、上記一般式（１）中、Ｒ１が炭素数５のアルキル基又は炭素数５のアルケニル基の場合、ａは１〜４であることが好ましく、Ｒ１が炭素数６のアルキル基又は炭素数６のアルケニル基の場合、ａは１〜３であることが好ましく、Ｒ１が炭素数７のアルキル基又は炭素数７のアルケニル基の場合、ａは１〜２であることが好ましく、Ｒ１が炭素数８のアルキル基又は炭素数８のアルケニル基の場合、ａは１であることが好ましい。
【００２３】
上記の条件を満たす化合物としては、具体的には、エチルアルコールＡＯ（１〜５）付加物、イソプロピルアルコールＡＯ（１〜５）付加物、ブチルアルコールＡＯ（１〜５）付加物、ヘキシルアルコールＡＯ（１〜３）付加物、オクチルアルコールＡＯ（１）付加物、２−エチルヘキサノールＡＯ（１）付加物、２−オクタノールＡＯ（１）付加物等が挙げられる。括弧内の数値はモル数を表す。
【００２４】
上記の化合物の中でも、抑泡性の観点から、ブチルアルコールＥＯ（１〜５）付加物、ヘキシルアルコールＥＯ（１〜３）付加物、及び２−エチルヘキサノールＥＯ（１）付加物が好ましい。ＥＯはエチレンオキシ基を示す。
【００２５】
（Ａ）成分は、１種類を単独で又は２種以上を組み合わせて用いることができる。
【００２６】
（Ｂ）成分としては、炭素数８〜５０の脂肪族モノアルコール、及び下記一般式（６）若しくは下記一般式（７）で表される炭素数８〜５０のフェノール誘導体が挙げられる。
【００２７】
【化９】
2018030976.tif 000010
［式（６）中、ｂは１〜５の整数であり、ｉは１〜５の整数であり、ｂ×ｉの総数が１〜５の範囲内にあり、式（６）中のｂが２以上である場合、複数あるｉは同一であっても異なっていてもよい。］
【００２８】
【化１０】
2018030976.tif 000011
［式（７）中、ｐは１〜５の整数であり、ｑは１〜５の整数であり、（ｐ＋１）×ｑの総数が１〜５の範囲内にあり、式（７）中のｑが２以上である場合、複数あるｐは同一であっても異なっていてもよい。］
【００２９】
炭素数８〜５０の脂肪族モノアルコールとしては、例えば、オクチルアルコール、デシルアルコール、ラウリルアルコール、ミリスチルアルコール、セチルアルコール、ステアリルアルコール、オレイルアルコール、ベヘニルアルコール、トリデシルアルコール等の直鎖第一級アルコール；４−ブチルオクタノール、２−ブチルデカノール、２−ヘキシルオクタノール、２−ヘキシルデカノール、２−オクチルドデカノール、２−ヘキシルドデカノール、２−デシルテトラデカノール、２−ドデシルヘキサデカノール、２−テトラデシルオクタデカノール、イソオクタノール、２−エチルヘキサノール、イソノナノール、イソデカノール、イソウンデカノール、イソトリデカノール等の分岐第一級アルコール；２−オクタノール、３−オクタノール、４−オクタノール、２−ドデカノール、２−トリデカノール等の第二級アルコール；２−メチルヘプタン−２−オール、２−メチルデカン−２−オール、６−メチルウンデカン−６−オール、６−ペンチルウンデカン−６−オール等の第三級アルコール等が挙げられる。
【００３０】
上記一般式（６）若しくは下記一般式（７）で表される炭素数８〜５０のフェノール誘導体としては、モノスチレン化フェノール、ジスチレン化フェノール、トリスチレン化フェノール等が挙げられる。スチレン化フェノールは、例えば、所定量のフェノールに、所定量のスチレンをＡｌＣｌ３、ＳｂＣｌ３、Ｈ２ＳＯ４、Ｈ３ＰＯ４又は活性白土等を触媒として、１１０〜１４０℃の温度で反応（フリーデルクラフツ反応）させる公知の製造方法によって得られる化合物が挙げられる。
【００３１】
（Ｂ）成分は、洗浄性、抑泡性の観点から、炭素数８〜５０の脂肪族モノアルコールが好ましく、炭素数８〜４０の脂肪族第一級アルコール、炭素数８〜３２の脂肪族第二級アルコールがより好ましく、炭素数８〜１８の直鎖脂肪族第一級アルコール、直鎖アルキル基のＣＨ２ＯＨ基に対するβ位以外に炭素数１〜３のアルキル基が分岐した炭素数８〜１８の脂肪族第一級アルコール、直鎖アルキル基のＣＨ２ＯＨ基に対するβ位に炭素数１〜２０の直鎖アルキル基が分岐した炭素数８〜４０の脂肪族第一級アルコール（例えば、下記式（８）で表される化合物）、炭素数８〜２４の脂肪族第二級アルコールが更により好ましく、直鎖アルキル基のＣＨ２ＯＨ基に対するβ位に炭素数２〜１３の直鎖アルキル基が分岐した炭素数８〜３２の脂肪族第一級アルコール（例えば、下記式（８）におけるＲ７が炭素数２〜１３のアルキル基であり、Ｒ８が炭素数２〜２６のアルキル基である化合物）が特に好ましい。これらは１種を単独で又は２種以上を組み合わせて用いることができる。
【００３２】
【化１１】
2018030976.tif 000012
［式（８）中、Ｒ７は、炭素数１〜２０のアルキル基を示し、Ｒ８は、炭素数３〜３５のアルキル基を示す。］
【００３３】
（Ｂ）成分は１種を単独で又は２種以上を組み合わせて用いることができる。
【００３４】
本実施形態の金属用電解洗浄剤組成物は、（Ｃ）脂肪族モノカルボン酸、ポリカルボン酸及びこれらの中和塩からなる群より選択される少なくとも一種のカルボン酸化合物（以下、「（Ｃ）成分」ともいう）を含有することができる。
【００３５】
（Ｃ）成分として用いる脂肪族モノカルボン酸としては、ヒドロキシル基を有していてもよい炭素数６〜２４の直鎖又は分岐の不飽和又は飽和の脂肪族モノカルボン酸が挙げられる。このような脂肪族モノカルボン酸として具体的には、カプロン酸、カプリル酸、エナント酸、ペラルゴン酸、カプリン酸、ラウリン酸、ミリスチン酸、パルミチン酸、パルミトレイン酸、マルガリン酸、ステアリン酸、オレイン酸、バグゼン酸、リノール酸、（９，１２，１５）−リノレン酸、（６，９，１２）−リノレン酸、エレオステアリン酸、アラキジン酸、（８，１１）−エイコサジエン酸、（５，８，１１）−エイコサトリエン酸、アラキドン酸、ベヘン酸、リグノセリン酸、ネルボン酸、２−エチルヘキサン酸、２−メチルヘキサン酸、２−メチルヘプタン酸、トリメチルヘキサン酸、イソステアリン酸、１２−ヒドロキシステアリン酸等が挙げられる。これらは１種を単独で又は２種以上を組み合わせて用いることができる。
【００３６】
（Ｃ）成分として用いる脂肪族モノカルボン酸の中和塩としては、上記脂肪族モノカルボン酸をアルカリ金属等によって中和された中和塩が挙げられる。ここで、アルカリ金属としては、ナトリウム、カリウム、リチウムなどが挙げられる。これらは１種を単独で又は２種以上を組み合わせて用いることができる。
【００３７】
（Ｃ）成分として用いる脂肪族モノカルボン酸及びその中和塩は、洗浄性の観点から、炭素数６〜１８の直鎖または分岐の不飽和又は飽和の脂肪族モノカルボン酸及びその中和塩が好ましく、炭素数６〜１２の直鎖又は分岐の不飽和又は飽和の脂肪族モノカルボン酸及びその中和塩がより好ましい。これらは１種を単独で又は２種以上を組み合わせて用いることができる。
【００３８】
（Ｃ）成分として用いるポリカルボン酸は、重量平均分子量が５００〜１５０，０００のポリカルボン酸が挙げられ、洗浄性、取り扱い性の観点から１，０００〜１００，０００のポリカルボン酸が好ましく、１，０００〜５０，０００のポリカルボン酸がより好ましい。本明細書において、ポリカルボン酸の重量平均分子量は、ゲル浸透クロマトグラフィー（ＧＰＣ）により測定される値を意味する。
【００３９】
ポリカルボン酸としては、例えば、アクリル酸、メタクリル酸、マレイン酸、フマル酸、イタコン酸等のカルボキシル基を有するビニル系モノマーを用いて、従来公知のラジカル重合法で合成した単独重合体及び共重合体が挙げられる。ポリカルボン酸は、市販されているものを使用してもよい。ラジカル重合には、本発明を損なわない範囲で、上記のモノマーに加えてカルボキシル基を有していない共重合可能なモノマーを併用してもよい。
【００４０】
カルボキシル基を有していない共重合可能なモノマーとしては、エチレン、塩化ビニル、酢酸ビニルなどのビニル系モノマー、アクリルアミド、アクリレート類、メタクリレート類等が挙げられる。アクリレート類及びメタクリレート類としては、炭素数１〜３のアルキル基、または炭素数２〜３のアルケニル基を有するものが好ましい。これらのアルキル基又はアルケニル基は、ヒドロキシル基などの置換基を有していてもよい。このようなアクリレート類及びメタクリレート類としては、メチルアクリレート、メチルメタクリレート、エチルアクリレート、エチルメタクリレート、２−ヒドロキシエチルアクリレート、２−ヒドロキシエチルメタクリレート、プロピルアクリレート、プロピルメタクリレート等が挙げられる。カルボキシル基を有するビニル系モノマーと、カルボキシル基を有していない共重合可能なモノマーとの重量比は、洗浄性の観点から１００：０〜５０：５０であることが好ましく、１００：０〜７０：３０であることがより好ましく、１００：０〜９０：１０であることが更により好ましい。上記の共重合可能なモノマーは１種を単独で又は２種以上を組み合わせて用いることができる。
【００４１】
（Ｃ）成分として用いるポリカルボン酸の中和塩としては、上記ポリカルボン酸をアルカリ金属等によって中和された中和塩が挙げられる。ここで、アルカリ金属としては、ナトリウム、カリウム、リチウムなどが挙げられる。これらは１種を単独で又は２種以上を組み合わせて用いることができる。
【００４２】
ポリカルボン酸及びその中和塩の製造方法には特に制限はないが、例えば、上記モノマー及び／又はその塩の水溶液にラジカル重合開始剤を添加して、３０〜１５０℃で２〜５時間加熱反応させる方法などを挙げることができる。このとき、上記モノマー及び／又はその塩の水溶液に、メタノール、エタノール、イソプロピルアルコール等のアルコール類やアセトン類の水性溶剤を添加してもよい。また、用いるラジカル重合開始剤にも特に制限はないが、過硫酸カリウム、過硫酸ナトリウム、過硫酸アンモニウム等の過硫酸塩、過硫酸塩と重亜硫酸ナトリウム等の組み合わせによるレドックス型重合開始剤、過酸化水素、水溶性アゾ系重合開始剤等が挙げられる。これらのラジカル重合開始剤は１種を単独で又は２種以上を組み合わせて用いることができる。ラジカル重合の際には、重合度を調整する目的で連鎖移動剤（例えば、チオグリコール酸オクチル）を添加してもよい。
【００４３】
（Ｃ）成分として用いるポリカルボン酸及びその中和塩としては、洗浄性の観点から、アクリル酸、メタクリル酸、またはマレイン酸の単独重合体もしくはその中和塩、又はアクリル酸、メタクリル酸及びマレイン酸のいずれか１種以上をモノマー成分として含む共重合体もしくはその中和塩が好ましく、アクリル酸の単独重合体もしくはその中和塩がより好ましい。上述したポリカルボン酸及びその中和塩は、１種を単独で又は２種以上を組み合わせて用いることができる。
【００４４】
（Ｃ）成分は１種を単独で又は２種以上を組み合わせて用いることができる。
【００４５】
本実施形態の金属用電解洗浄剤組成物は、（Ｄ）アルカノールアミン化合物（以下、「（Ｄ）成分」ともいう）を含有することができる。
【００４６】
（Ｄ）成分としては、下記一般式（９）で表されるアルカノールアミン化合物が挙げられる。
【００４７】
【化１２】
2018030976.tif 000013
［式（９）中、Ｒ９及びＲ１０はそれぞれ独立に水素原子、炭素数１〜２２のアルキル基、炭素数２〜２２のアルケニル基、炭素数６〜２３のアリール基、又は炭素数７〜４５のアラルキル基を示し、Ｒ１１は炭素数１〜２２のアルキレン基、又は炭素数７〜１５のアラルキレン基を示し、ｒ及びｓはそれぞれ独立に０又は１を示し、ｔは１〜３の整数を示し、ｒ＋ｓ＋ｔは３である。］
【００４８】
上記一般式（９）で表されるアルカノールアミン化合物としては、具体的にはモノエタノールアミン、Ｎ,Ｎ−ジメチルエタノールアミン、Ｎ,Ｎ−ジエチルエタノールアミン、Ｎ,Ｎ−ジブチルエタノールアミン、Ｎ−メチルエタノールアミン、Ｎ−エチルエタノールアミン、Ｎ−ｎ―ブチルエタノールアミン、Ｎ−ｔ―ブチルエタノールアミン、２−（ジフェニルアミノ）エタノール、１−フェニルアミノエタノール、Ｎ−ベンジルエタノールアミン、Ｎ,Ｎ−ジベンジル−２−エタノールアミン、モノイソプロパノールアミン等のモノアルカノールアミン化合物；ジエタノールアミン、Ｎ−メチルジエタノールアミン、Ｎ−エチルジエタノールアミン、Ｎ−ｎ―ブチルジエタノールアミン、Ｎ−ｔ―ブチルジエタノールアミン、Ｎ−ベンジルジエタノールアミン、ジイソプロパノールアミン等のジアルカノールアミン化合物；トリエタノールアミン、トリイソプロパノールアミン等のトリアルカノールアミン化合物が挙げられる。
【００４９】
上記一般式（９）で表されるアルカノールアミン化合物は、洗浄性、防錆性の観点から、式中、Ｒ９が水素原子、炭素数１〜６のアルキル基、炭素数２〜６のアルケニル基、炭素数６〜１３のアリール基、又は炭素数７〜１３のアラルキル基であり、Ｒ１０が水素原子、炭素数１〜６のアルキル基、炭素数２〜６のアルケニル基、炭素数６〜１３のアリール基、又は炭素数７〜１３のアラルキル基であり、Ｒ１１が炭素数１〜８のアルキレン基、又は炭素数７〜１４のアラルキレン基であり、ｒが０又は１であり、ｓが０又は１であり、ｔが１〜３であり、ｒ＋ｓ＋ｔ＝３であるアルカノールアミン化合物が好ましく、式中のＲ１１が炭素数１〜３のアルキレン基であり、ｒ及びｓが０であり、ｔが３であるアルカノールアミン化合物がより好ましい。
【００５０】
（Ｄ）成分は１種を単独で又は２種以上を組み合わせて用いることができる。
【００５１】
本実施形態の金属用電解洗浄剤組成物が（Ｃ）成分及び（Ｄ）成分を含む場合、（Ｄ）成分の配合については、所定量の（Ｄ）成分で（Ｃ）成分をあらかじめ中和した後、残りの（Ｄ）成分と（Ｂ）成分を混合してもよく、（Ｃ）成分、（Ｄ）成分及び（Ｂ）成分の全量を一度に配合してもよい。
【００５２】
本実施形態の金属用電解洗浄剤組成物は、上記（Ａ）成分以外のアルキレンオキシ基含有化合物としてプロピレンオキシ基含有化合物を含有することができ、例えば、（Ｅ）下記一般式（２）で表される化合物（以下、「（Ｅ）成分」ともいう）を含有することができる。
【００５３】
【化１３】
2018030976.tif 000014
［式（２）中、ＥＯは、エチレンオキシ基を示し、ＰＯは、プロピレンオキシ基を示し、ｄ及びｆは、エチレンオキシ基の平均付加モル数を示し、ｄ＋ｆが０〜１０の範囲にあり、ｅは、プロピレンオキシ基の平均付加モル数を示し、１〜１００の範囲にある。］
【００５４】
（Ｅ）成分としては、具体的には、ＨＯ−（ＰＯ）１７−Ｈ、ＨＯ−（ＰＯ）３４−Ｈ、ＨＯ−（ＥＯ）１−（ＰＯ）１６−（ＥＯ）１−Ｈ、ＨＯ−（ＥＯ）１．５−（ＰＯ）２９−（ＥＯ）１．５−Ｈ等が挙げられる。
【００５５】
（Ｅ）成分は、抑泡性の観点から、上記一般式（２）中、ｅが１〜６０であり且つｄ＋ｆが０〜１０である、又はｅが６１〜１００であり且つｄ＋ｆが０〜５であることが好ましく、ｅが１〜６０であり且つｄ＋ｆが０〜１０であることがより好ましく、ｅが２０〜６０であり且つｄ＋ｆが０〜１０である、又はｅが１０〜２０であり且つｄ＋ｆが０であることが特に好ましい。
【００５６】
（Ｅ）成分は１種を単独で又は２種以上を組み合わせて用いることができる。
【００５７】
本実施形態の金属用電解洗浄剤組成物は、上記（Ａ）成分以外のアルキレンオキシ基含有化合物として第２のアルキレンオキシ基含有化合物を含有することができ、例えば、（Ｆ）下記一般式（３）で表される化合物（以下、「（Ｆ）成分」ともいう）を含有することができる。
【００５８】
【化１４】
2018030976.tif 000015
［式（３）中、Ｒ２は、ヒドロキシル基を有していてもよい炭素数８〜３０のアルキル基、ヒドロキシル基を有していてもよい炭素数８〜３０のアルケニル基、下記一般式（４）で表される基、又は下記一般式（５）で表される基を示し、Ｒ３は、水素原子、ヒドロキシル基を有していてもよい炭素数１〜３０のアルキル基、又はヒドロキシル基を有していてもよい炭素数２〜３０のアルケニル基を示し、ｘ及びｚはそれぞれ独立に０又は１であり、ＡＯは、炭素数２〜４のアルキレンオキシ基を示し、ｙは、アルキレンオキシ基の平均付加モル数を示し、１１〜２００の範囲にある。ただし、Ｒ２が下記一般式（４）で表される基又は下記一般式（５）で表される基である場合、Ｒ３は水素原子であり、ｘ及びｚは０である。
【化１５】
2018030976.tif 000016
｛式（４）中、ｇは１〜５の整数であり、ｈは１〜５の整数であり、ｇ×ｈの総数が１〜５の範囲内にあり、式（４）中のｇが２以上である場合、複数あるｈは同一であっても異なっていてもよい。｝
【化１６】
2018030976.tif 000017
｛式（５）中、ｍは１〜５の整数であり、ｎは１〜５の整数であり、（ｍ＋１）×ｎの総数が１〜５の範囲内にあり、式（５）中のｎが２以上である場合、複数あるｍは同一であっても異なっていてもよい。｝］
【００５９】
（Ｆ）成分としては、具体的に、オクチルアルコールＡＯ（１１〜２００）付加物、デシルアルコールＡＯ（１１〜２００）付加物、ラウリルアルコールＡＯ（１１〜２００）付加物、ミリスチルアルコールＡＯ（１１〜２００）付加物、セチルアルコールＡＯ（１１〜２００）付加物、ステアリルアルコールＡＯ（１１〜２００）付加物、イソステアリルアルコールＡＯ（１１〜２００）付加物、オレイルアルコールＡＯ（１１〜２００）付加物、ベヘニルアルコールＡＯ（１１〜２００）付加物、トリデシルアルコールＡＯ（１１〜２００）付加物、２―ブチルオクタノールＡＯ（１１〜２００）付加物、２―ブチルデカノールＡＯ（１１〜２００）付加物、２―ヘキシルオクタノールＡＯ（１１〜２００）付加物、２―ヘキシルデカノールＡＯ（１１〜２００）付加物、２―オクチルドデカノールＡＯ（１１〜２００）付加物、２―ヘキシルドデカノールＡＯ（１１〜２００）付加物、２―オクチルドデカノールＡＯ（１１〜２００）付加物、２―デシルテトラデカノールＡＯ（１１〜２００）付加物、２―ドデシルヘキサデカノールＡＯ（１１〜２００）付加物、２―テトラデシルオクタデカノールＡＯ（１１〜２００）付加物、イソオクタノールＡＯ（１１〜２００）付加物、２−エチルヘキサノールＡＯ（１１〜２００）付加物、イソノナノールＡＯ（１１〜２００）付加物、イソデカノールＡＯ（１１〜２００）付加物、イソウンデカノールＡＯ（１１〜２００）付加物、イソトリデカノールＡＯ（１１〜２００）付加物、オクタン−２−オールＡＯ（１１〜２００）付加物、２−ドデカノールＡＯ（１１〜２００）付加物、モノスチレン化フェノールＡＯ（１１〜２００）付加物、ジスチレン化フェノールＡＯ（１１〜２００）付加物、トリスチレン化フェノールＡＯ（１１〜２００）付加物、ヒドロキシステアリルアルコールＡＯ（１１〜２００）付加物、カプリル酸ＡＯ（１１〜２００）付加物、カプリン酸ＡＯ（１１〜２００）付加物、ラウリン酸ＡＯ（１１〜２００）付加物、ミリスチン酸ＡＯ（１１〜２００）付加物、パルミチン酸ＡＯ（１１〜２００）付加物、ステアリン酸ＡＯ（１１〜２００）付加物、オレイン酸ＡＯ（１１〜２００）付加物、ポリオキシアルキレン（１１〜２００）ジカプリル酸、ポリオキシアルキレン（１１〜２００）ジパルミチン酸、ポリオキシアルキレン（１１〜２００）ジオレイン酸、ポリオキシアルキレン（１１〜２００）ジステアリン酸、オクチルアルコールＡＯ（１１〜２００）付加物のオクチルエステル（即ち、ポリオキシアルキレン（１１〜２００）オクチルエーテルオクチルエステル）、デシルアルコールＡＯ（１１〜２００）付加物のデシルエステル（即ち、ポリオキシアルキレン（１１〜２００）デシルエーテルデシルエステル）、ラウリルアルコールＡＯ（１１〜２００）付加物のラウリルエステル（即ち、ポリオキシアルキレン（１１〜２００）ラウリルエーテルラウリルエステル）、ミリスチルアルコールＡＯ（１１〜２００）付加物のオクチルエステル（即ち、ポリオキシアルキレン（１１〜２００）ミリスチルエーテルオクチルエステル）、セチルアルコールＡＯ（１１〜２００）付加物のオクチルエステル（即ち、ポリオキシアルキレン（１１〜２００）セチルエーテルオクチルエステル）、オクチルアルコールＡＯ（１１〜２００）付加物のメチルエーテル（即ち、ポリオキシアルキレン（１１〜２００）オクチルエーテルメチルエーテル）、オクチルアルコールＡＯ（１１〜２００）付加物のエチルエーテル（即ち、ポリオキシアルキレン（１１〜２００）オクチルエーテルエチルエーテル）、デシルアルコールＡＯ（１１〜２００）付加物のメチルエーテル（即ち、ポリオキシアルキレン（１１〜２００）デシルエーテルメチルエーテル）、ラウリルアルコールＡＯ（１１〜２００）付加物のメチルエーテル（即ち、ポリオキシアルキレン（１１〜２００）ラウリルエーテルメチルエーテル）、ラウリルアルコールＡＯ（１１〜２００）付加物のエチルエーテル（即ち、ポリオキシアルキレン（１１〜２００）ラウリルエーテルエチルエーテル）、ミリスチルアルコールＡＯ（１１〜２００）付加物のメチルエーテル（即ち、ポリオキシアルキレン（１１〜２００）ミリスチルエーテルメチルエーテル）、セチルアルコールＡＯ（１１〜２００）付加物のメチルエーテル（即ち、ポリオキシアルキレン（１１〜２００）セチルエーテルメチルエーテル）、ステアリルアルコールＡＯ（１１〜２００）付加物のメチルエーテル（即ち、ポリオキシアルキレン（１１〜２００）ステアリルエーテルメチルエーテル）等が挙げられる。括弧内の数値はモル数を表す。上記ＡＯのアルキレンオキシ基は同一であっても異なっていてもよく、異なっている場合は、ブロック付加でもランダム付加でも交互付加でも構わない。
【００６０】
（Ｆ）成分は、洗浄性と抑泡性の観点から、Ｒ３が炭素数８〜３０のアルキル基又は炭素数８〜３０のアルケニル基であることが好ましく、炭素数１２〜２４のアルキル基又は炭素数１２〜２４のアルケニル基であることがより好ましい。
【００６１】
（Ｆ）成分は、洗浄性と抑泡性の観点から、上記一般式（３）中、ＡＯがエチレンオキシ基とプロピレンオキシ基とのランダム付加であり、エチレンオキシ基とプロピレンオキシ基との配合比率（質量比）がエチレンオキシ基：プロピレンオキシ基＝２０：８０〜８０：２０であり、ｙが１１〜１００であることが好ましく、ＡＯがエチレンオキシ基プロピレンオキシ基とのランダム付加であり、エチレンオキシ基とプロピレンオキシ基との配合比率（質量比）がエチレンオキシ基：プロピレンオキシ基＝２０：８０〜８０：２０であり、ｙが１１〜８０であることがより好ましい。
【００６２】
（Ｆ）成分は、洗浄性と抑泡性の観点から、上記一般式（３）中、Ｒ２が炭素数８〜３０のアルキル基、又は炭素数８〜３０のアルケニル基であり、Ｒ３が水素原子であり、ｘ及びｚが０であり、ＡＯがエチレンオキシ基とプロピレンオキシ基とのランダム付加であり、エチレンオキシ基とプロピレンオキシ基との配合比率（質量比）がエチレンオキシ基：プロピレンオキシ基＝２０：８０〜８０：２０であり、ｙが１１〜１００である化合物が好ましい。
【００６３】
（Ｆ）成分は、洗浄性と抑泡性の観点から、上記一般式（３）中、Ｒ２が炭素数１２〜２４のアルキル基、又は炭素数１２〜２４のアルケニル基であり、Ｒ３が水素原子であり、ｘ及びｚが０であり、ＡＯがエチレンオキシ基とプロピレンオキシ基とのランダム付加であり、エチレンオキシ基とプロピレンオキシ基との配合比率（質量比）がエチレンオキシ基：プロピレンオキシ基＝２０：８０〜８０：２０であり、ｙが１１〜８０である化合物がより好しい。
【００６４】
（Ｆ）成分は１種を単独で又は２種以上を組み合わせて用いることができる。
【００６５】
本実施形態の金属用電化洗浄剤組成物における（Ａ）成分〜（Ｆ）成分の配合割合は、使用目的に応じて適宜設定されるが、洗浄性、抑泡性、経済性の観点から、（Ａ）成分１００質量部に対して、（Ｂ）成分は、１〜２００質量部であることが好ましく、５〜２００質量部であることがより好ましく、（Ｃ）成分は、１０〜８００質量部であることが好ましく、５０〜５００質量部であることがより好ましく、（Ｄ）成分は、１００〜１０００質量部であることが好ましく、２００〜８００質量部であることがより好ましく、（Ｅ）成分は、１〜２００質量部であることが好ましく、５〜１００質量部であることがより好ましく、（Ｆ）成分は、０．０１〜１００質量部であることが好ましく、０．１〜５０質量部であることがより好ましい。
【００６６】
本実施形態の金属用電化洗浄剤組成物には、本発明の効果を損なわない範囲で、抑泡剤、防腐剤、アルカリ剤、界面活性剤、キレート剤、防錆剤、酸化防止剤、着色剤、消臭剤、芳香剤等を配合できる。
【００６７】
抑泡剤としては特に限定されないが、シリコン系、ポリグリコール系、高級アルコール系、鉱物油系等が挙げられる。これら抑泡剤は１種又は２種以上混合して使用することができる。なお、かかる高級アルコール系の抑泡剤が上記（Ｂ）成分と重複する場合は、（Ｂ）成分として配合され、上述した好ましい配合量の範囲で用いることが好ましい。
【００６８】
防腐剤としては特に限定されないが、芳香族カルボン酸等が挙げられ、具体的には、安息香酸、ｐ−トルイル酸、ｐ−エチル安息香酸、ｐ−イソプロピル安息香酸、ｐ−ｔｅｒｔ−ブチル安息香酸、キシリル酸、イソフタル酸、テレフタル酸、サリチル酸、ケイ皮酸、トルイル酸、ヘミメリット酸、トリメリット酸、トリメシン酸、ヒドロキシ安息香酸、ジヒドロキシ安息香酸、トリヒドロキシ安息香酸等が挙げられる。これら防腐剤は１種又は２種以上混合して使用することができる。
【００６９】
アルカリ剤としては特に限定されないが、水酸化ナトリウム、水酸化カリウム等の金属水酸化物；オルソ珪酸ナトリウム、メタ珪酸ナトリウム、オルソ珪酸カリウム、メタ珪酸カリウム等のケイ酸塩；炭酸ナトリウム、炭酸水素ナトリウム、炭酸カリウム等の炭酸塩；トリエタノールアミン、ジエタノールアミン等のアルカノールアミン；アンモニア等をあげることができる。これらアルカリ剤は１種又は２種以上混合して使用することができる。なお、かかるアルカノールアミンが上記（Ｄ）成分と重複する場合は、（Ｄ）成分としてとして配合され、上述した好ましい配合量の範囲で用いることが好ましい。
【００７０】
界面活性剤としては特に限定されないが、高級アルコールアルキレンオキサイド付加物、アルキルフェノールアルキレンオキサイド付加物、脂肪酸アルキレンオキサイド付加物、多価アルコール脂肪酸エステルアルキレンオキサイド付加物、高級アルキルアミンアルキレンオキサイド付加物等のノニオン界面活性剤；石鹸、アルキルベンゼンスルホン酸塩、高級アルコール硫酸エステル塩、ポリオキシエチレンアルキルエーテル硫酸塩等のアニオン界面活性剤；アルキルアミノ脂肪酸塩、アルキルベタイン等の両性界面活性剤が挙げられる。これら界面活性剤は１種又は２種以上混合して使用することができる。なお、かかる高級アルコールアルキレンオキサイド付加物が上記（Ａ）成分と重複する場合は、（Ａ）成分として配合され、上述した好ましい配合量の範囲で用いることが好ましい。
【００７１】
キレート剤としては特に限定されないが、ＥＤＴＡ、ＮＴＡ、ＤＴＰＡ、ＨＥＤＴＡ、ＴＴＨＡ等のアミノカルボン酸系キレート剤；ＨＥＤＰ、ＮＴＭＰ等のホスホン酸系キレート剤、ポリカルボン酸系キレート剤等が挙げられる。これらキレート剤は１種又は２種以上混合して使用することができる。なお、かかるポリカルボン酸系のキレート剤が上記（Ｃ）成分と重複する場合は、（Ｃ）成分として配合され、上述した好ましい配合量の範囲で用いることが好ましい。
【００７２】
本実施形態の金属用洗浄剤組成物のｐＨは、製品安定性の観点から５．０以上であることが好ましく、６．０以上であることがより好ましい。ｐＨが５．０未満の場合は、前記アルカリ剤で調整することができる。これらｐＨ調整剤は１種又は２種以上混合して使用することができる。本発明におけるｐＨはガラス電極法などの公知の方法で測定することができる。
【００７３】
本実施形態の金属用洗浄剤組成物で洗浄が可能な金属は、金属成分を有している物質であれば、特に限定されるものではないが、鉄、アルミニウム、亜鉛、マグネシウム、金、銀、銅、鉛、チタン等の金属；前記記載の金属の合金、例えば、真鍮、ステンレス、ジュラルミン・チタン等の合金；トタン等のメッキ加工した金属等が挙げられる。
【００７４】
本実施形態の金属用電解洗浄剤組成物は、金属用電解洗浄剤としてそのまま使用してもよいが、該組成物を水で希釈して調製した洗浄剤を使用してもよい。洗浄剤は、洗浄性、経済性の観点から、（Ａ）成分と（Ｂ）成分の合計含有量が、洗浄剤全量を基準に０．００１〜２０質量％であることが好ましく、０．０１〜１５質量％であることがより好ましく、０．０２〜１０質量％であることが更により好ましい。
【００７５】
本実施形態の金属用電解洗浄剤組成物を希釈する際に使用する水は、水道水、井戸水、イオン交換水、又は蒸留水を好適に用いることができる。
【００７６】
本実施形態の金属用電解洗浄剤組成物を水で希釈して調製した洗浄剤のｐＨは、洗浄性の観点から６．０以上であることが好ましく、８．０以上であることがより好ましい。ｐＨが６．０未満の場合は、前記アルカリ剤で調整することができる。これらｐＨ調整剤は１種又は２種以上混合して使用することができる。本発明におけるｐＨはガラス電極法などの公知の方法で測定することができる。
【００７７】
本実施形態の金属用電解洗浄剤組成物を水で希釈して調製した洗浄剤の静的表面張力、及び動的表面張力は、洗浄性、乾燥性の観点から２０〜６０ｍＮ／ｍであることが好ましく、２０〜５０ｍＮ／ｍであることがより好ましい。本発明における静的表面張力はウィルヘルミー法にて測定し、動的表面張力は最大泡圧法にて測定することができる。
【００７８】
本実施形態に係る金属用電解洗浄剤は、電解洗浄にて使用される。電解洗浄方法については特に限定されるものではないが、陰極電解洗浄方法、陽極電解洗浄方法、ＰＲ電解洗浄方法等が好適に使用される。
【００７９】
洗浄温度は、洗浄性、経済性の観点から５〜１００℃であることが好ましく、１０〜８０℃がより好ましく、１５〜７０℃が特に好ましい。洗浄時間は、被洗浄物の形状・大きさ、洗浄方法、洗浄条件に応じて変わり、特に限定されるものではなく、適宜設定することができる。
【実施例】
【００８０】
以下、実施例により本発明を更に詳しく説明するが、本発明はこれらの実施例により何ら制限されるものではない。
【００８１】
（実施例１〜１７、比較例１〜５）
［金属用電解洗浄剤組成物の調製］
実施例１〜１７、及び比較例１〜５の金属用電解洗浄剤組成物は、表１〜４に示す成分及び組成（質量％）のとおりに調製した。具体的には、イオン交換水に、所定の成分を加えて混合して均一とし調整した。
【００８２】
［金属用電解洗浄剤の調製］
上記で得られた各金属用電解洗浄剤組成物及び水酸化ナトリウムをイオン交換水で希釈して金属用電解洗浄剤を調製した。なお、洗浄剤における金属用電解洗浄剤組成物の含有量は３質量％及び水酸化ナトリウムの含有量は２質量％とした。また、洗浄剤のｐＨは１４であった。
【００８３】
［洗浄性評価試験］
市販の５０ｍｍ×５０ｍｍ×１ｍｍに切断された冷間圧延した鋼板（ＳＰＣＣ−ＳＢ）を試験片として用いた。ｎ−ヘキサンにて試験片表面を洗浄し、汚染物質として圧延油（パーム油）を０．２ｇ塗布し、汚染試料とした。上記で調製した洗浄剤に汚染試料を浸漬し、すばやく通電して下記の条件で電解洗浄をし、８０℃にて３０分間乾燥した。乾燥した試験片の重量を測定し、下記計算式にて洗浄率を算出した。
（電解洗浄条件）
電解洗浄方式：ＰＲ電解洗浄
電流密度：１０Ａ／ｄｍ２
電解時間：陰極電解．陽極電解各２秒間
洗浄液温度：２０℃、６０℃
（洗浄率）
洗浄率（質量％）＝［｛洗浄前の汚染試料の質量（ｇ）｝−｛洗浄後の汚染試料の質量（ｇ）｝］×１００／［｛洗浄前の汚染試料の質量（ｇ）｝−｛試験片の質量（ｇ）｝］
【００８４】
［抑泡性評価試験］
１００ｍｌネスラー管に所定の温度（２０℃又は６０℃）に調整された実施例１〜１７、及び比較例１〜５の各金属用電解洗浄剤を５０ｍｌ注ぎ、５秒間に振幅幅２０ｃｍで１０回上下に振り、水平な台の上に静置した直後、及び静置１分後の液面からの泡量（ｍＬ）を測定した。
【００８５】
なお、表１〜４のポリアクリル酸ナトリウム＊１及びポリプロピレングリコール＊２は以下の化合物を用いた。
＊１：ポリアクリル酸ナトリウム、重量平均分子量６，０００。
＊２：ポリプロピレングリコール、数平均分子量１，０００。
【００８６】
【表１】
2018030976.tif 000018
【００８７】
【表２】
2018030976.tif 000019
【００８８】
【表３】
2018030976.tif 000020
【００８９】
【表４】
2018030976.tif 000021
【００９０】
表１〜３に示されるように、実施例１〜１７の洗浄剤は、２０℃及び６０℃のいずれの洗浄条件であっても洗浄性及び抑泡性に優れていることが確認された。
【産業上の利用可能性】
【００９１】
本発明によれば、低温でも良好な洗浄性及び抑泡性を示すことができる洗浄剤組成物を提供することができる。これにより、洗浄浴の過剰な加熱が不要となりエネルギーコストの削減が期待できる。